(57)【要約】      （修正有）【課題】機械的特性（平坦度や捩じり剛性など）に優れ、電磁気耐性を有する、モニターをケースに結合させる器具を提供する。【解決手段】モニターの可視性領域に対応する凹部２２を有するプラスチック材料で作られた支持部材２０を備えており、支持部材は、複数の開口２４と、フレーム２１と、を備えており、開口は、位置決め及び／又は保持部材１４が開口を通過可能であるように、凹部の外側において所定の位置に形成され、かつ、支持部材が収容される金属シートケース１０上の所定の位置に支持部材を位置決めするものであり、フレームは、支持部材の背面側において支持部材のベース領域から突出しており、かつ、モニターの構成部品２８、３０をサンドイッチ式に収容するものであり、フレーム内に収容されたモニターの構成部品は支持部材に対して固定可能であり、支持部材は金属シートケース上において位置決め及び／又は保持部材に対して固定可能である。【選択図】図１
2018008027.tif 000002
【特許請求の範囲】
【請求項１】
モニターをケースに結合させる器具であって、
プラスチック材料で作られ、かつ、当該モニターの可視性領域に対応する凹部（２２）を有する支持部材（２０）を備えており、
前記支持部材（２０）は、
複数の開口（２４）と、
フレーム（２１）と、
を備えており、
前記開口（２４）は、位置決め及び／又は保持部材（１４）が当該開口（２４）を通過可能であるように、前記凹部（２２）の外側において所定の位置に形成され、かつ、前記支持部材（２０）が収容される金属シートケース（１０）上の所定の位置に前記支持部材（２０）を位置決めするものであり、
前記フレーム（２１）は、前記支持部材（２０）の背面側において前記支持部材（２０）のベース領域から突出しており、かつ、前記モニターの構成部品（２８、３０）をサンドイッチ式に収容するものであり、
前記フレーム（２１）内に収容された前記モニターの前記構成部品（２８、３０）は前記支持部材（２０）に対して固定可能であり、
前記支持部材（２０）は前記金属シートケース（１０）上において前記位置決め及び／又は保持部材（１４）に対して固定可能である器具。
【請求項２】
前記モニターの前記構成部品の少なくとも一つ（３０）は、前記フレーム（２１）内に収容された前記モニターの前記構成部品（２８、３０）を完全に前記背面側上に支持することができる剛性を有しており、かつ、その周囲に少なくとも一つの固定セクション（３１）を備えており、前記固定セクション（３１）は前記モニターの前記構成部品の前記少なくとも一つ（３０）を前記支持部材（２０）上に固定するものであることを特徴とする請求項１に記載の器具。
【請求項３】
前記モニターの前記構成部品の前記少なくとも一つ（３０）は、少なくとも一つの電気部品（４０）と前記モニターの前記構成部品（２８、３０）とを電気的に結合するものであることを特徴とする請求項１又は２に記載の器具。
【請求項４】
少なくとも一つの結合部材（３２）をさらに備えており、前記結合部材（３２）は、前記金属シートケース（１０）上において前記支持部材（２０）を前記フレーム（２１）内に収容された前記モニターの前記構成部品（２８、３０）に固定させるものであることを特徴とする請求項１乃至３の何れか一項に記載の器具。
【請求項５】
前記少なくとも一つの結合部材（３２）は電気部品（４０）を前記モニターの前記構成部品（２８、３０）に固定させるものであることを特徴とする請求項４に記載の器具。
【請求項６】
前記少なくとも一つの結合部材（３２）は金属製であり、かつ、ネジで固定可能であることを特徴とする請求項２乃至５の何れか一項に記載の器具。
【請求項７】
前記モニターの前記構成部品の前記少なくとも一つ（３０）はプラスチック製の前記支持部材（２０）にネジ止め可能であることを特徴とする請求項６に記載の器具。
【請求項８】
前記少なくとも一つの結合部材（３２）は前記金属シートケース（１０）の前記位置決め及び／又は保持部材（１４）の少なくとも一部に対してネジ止め可能であり、前記位置決め及び／又は保持部材（１４）は金属製であることを特徴とする請求項６に記載の器具。
【請求項９】
前記支持部材（２０）は、少なくとも一つの第一保持部材（２５）及び／又は少なくとも一つの第二保持部材（２６）を備えており、
前記第一保持部材（２５）は、前記支持部材（２０）の背面側から突出しており、かつ、前記支持部材（２０）の周辺に沿って位置しており、前記第一保持部材（２５）は、少なくとも一つの取り付け部分、ケースの背面壁及び／又は前記支持部材（２０）を前記金属シートケース（１０）にネジで固定するものであり、
前記第二保持部材（２６）は前記フレーム（２１）の周辺に沿って位置し、前記モニターの前記構成部品の前記少なくとも一つ（３０）をネジで固定するものであることを特徴とする請求項１乃至８の何れか一項に記載の器具。
【請求項１０】
前記支持部材（２０）の前記凹部（２２）は、前記金属シートケース（１０）の凹部（１２）が当該凹部（２２）を内部に収容しつつ、前記金属シートケース（１０）の前端において、前記支持部材（２０）の所定の部分が可視性となるように、前記金属シートケース（１０）の前記凹部（１２）よりも周囲が小さいことを特徴とする請求項１乃至９の何れか一項に記載の器具。
【請求項１１】
前記モニターの前記構成部品（２８、３０）は、少なくとも一つのタッチ感応式であり、透明かつ平坦な構成要素（２８）と、画像出力要素（３０）とを備えており、これらの要素（２８、３０）は前記支持部材（２０）の前記フレーム（２１）において重ねられ、タッチ感応式スクリーン（２８、３０）を形成していることを特徴とする請求項１乃至１０の何れか一項に記載の器具。
【請求項１２】
前記支持部材（２０）とシール部材（２７）と前記モニターの前記構成部品（２８、３０）とは予め組み立てられ、機能的に連結可能な組立体として、前記金属シートケース（１０）の内部に挿入され、前記金属シートケース（１０）と連結され、
前記シール部材（２７）は、前記支持部材（２０）と前記モニターの前記構成部品（２８）との間に挟まれ、さらに、シール効果を奏し、及び／又は、耐性を補償するものであることを特徴とする請求項１乃至１１の何れか一項に記載の器具。
【請求項１３】
サブフレームをさらに備えており、
前記サブフレームは、前記支持部材（２０）の前記フレーム（２１）の内部に挿入され、かつ、前記フレーム（２１）及び／又は前記支持部材（２０）の前記凹部（２２）のサイズを減少させるものであることを特徴とする請求項１乃至１２の何れか一項に記載の器具。
【請求項１４】
請求項１乃至１３の何れか一項に記載の器具を備える透析装置であって、前記金属シートケース（１０）は当該透析装置のケース又は本体であることを特徴とする透析装置。
【発明の詳細な説明】
【技術分野】
【０００１】
本発明はスクリーンまたはモニターをケース内部に結合させる器具に関し、特に、プラスチック製のフレームを用いて金属シートのケース、特に、医療器具または透析装置の金属シートのケースにスクリーンまたはモニターを結合させる器具に関する。
【背景技術】
【０００２】
体外血液処理装置においては、一般的にモニターが使用される。このモニターは、固定された耐荷重性の金属ケース（この金属ケースの表面は可視性、目に見えるものである）の内部に組み込まれるか、あるいは、固定された金属フレームの内部に組み込まれる（金属フレームの内部にモニターが収容され、かつ、この金属フレームはケースを形成する表面としてのプラスチック製カバーを備えている）。
モニターのケースは、例えば、金属を鋳造して作られる。このモニターケースは、必要な機械的特性、ＥＭＣ（電磁気的互換性）に関する特性及び機能的統合性を保証するものではあるが、必要に応じて工夫を凝らすと製造コストが大きくなるため、これらのケースは極めて高価である。
これらのモニターケースのもう一つの欠点は、耐荷重性の金属ケースにおいては、ケースの外側表面が一義的に形成されるので、収容するモニターの形状などが異なったりすると、多様な使い方が不可能であるということにある。
【０００３】
プラスチック製ケースを使用するシステムにおいては、例えば射出成形で作られたプラスチック製ケースは、通常、それ単独では機械的特性（例えば、必要な平坦度や捩じり剛性など）を発揮できないことが多い。タッチ式スクリーンの場合、故障のない動作を保証するためには、そのような機械的特性は必須である。
このため、通常では、プラスチック製ケースは装飾的なカバーとしてのみ使用され、内部には、モニター部品を収容するための金属フレームが使用される。
プラスチック製ケースのもう一つの欠点は、電磁気耐性が低いという点にある。
この場合、プラスチック製ケースに十分な電磁気耐性を付与するためには、ケースに特定のコーティングを施すことが必要になる。
【発明の概要】
【発明が解決しようとする課題】
【０００４】
従って、本発明の目的は、上述の欠点を解消し、スクリーンまたはモニターをケースに結合させる新規な器具を提供することにある。
特に、本発明に係る器具は、体外血液処理装置などの透析装置に対して特に有用である。
本発明によれば、上記の目的は、請求項１に記載された、モニターをケースの内部に結合させる器具により、さらに、請求項１４に記載された透析装置により、達成される。
従属項は本発明の有効な発展形を表す。
【課題を解決するための手段】
【０００５】
本発明の要旨は、情報の移動や相互作用に関する多機能型プラスチック製フレームの全ての構成部品（例えば、タッチ感応部品、平坦なスクリーン（ＴＦＴ）、状況を示すディスプレイ、作動用の器具（具体的には、キー及びスイッチ）、プリント回路基板など）を収容し、それらを金属シートのケースに結合させることにある。この場合の金属シートのケースは、透析装置その他の装置のケースとは別個のケースでもよく、あるいは、当該装置のケースそのものであってもよい。
【０００６】
多機能型プラスチック製フレームの材料の特性及び多機能型プラスチック製フレームの形状は、金属シートケースの材料の特性や積層型またはサンドイッチ型に配置された結合要素の材料の特性とともに、タッチ感応部品（タッチ式パネル）が正常に機能するように、十分な結合力を保証する。
これにより、金属シートケースの機能が向上する。
可視性部位における装飾性とは別に、金属シートケースは、さらに、タッチパネルとＴＦＴとの結合体の機能を全体的に向上させる。
体外血液処理装置において、プラスチック製フレームのサンドイッチ型配置は既知のものよりも低コストで製造することが可能である。
プラスチック製のモニターケースと比較して、鋼鉄シートで作られた金属ケースを使用することにより、電磁気の影響を排除することが可能になり、ひいては、プラスチック製ケースでは必要とされたＥＭＣコーティングを追加的に施すことも不要になる。
さらに、標準化されたインターフェイスを使用することにより、他の金属シートケースを用いる選択肢を増やすことができる。例えば、医療装置の本体に回転可能に取り付けられた別体のモニター金属シートケースや、医療装置の本体と一体型の金属シートケースなどを用いることができる。
このように、前述のフレーム及び完全組立体は、普遍性のある部品として、ほとんど全ての装置に搭載することが可能である。
同時に、金属シートケースの凹部の前端において部分的に可視性（透明）のプラスチック製フレームにはペイントを施すことが可能であり、これにより、視覚的に強調することができる。
【０００７】
具体的には、上記の効果及び上記の目的は、モニターをケースに結合させる器具であって、プラスチック材料で作られ、かつ、当該モニターの可視性領域に対応する凹部を有する支持部材を備えており、前記支持部材は、複数の開口と、フレームと、を備えており、前記開口は、位置決め及び／又は保持部材が当該開口を通過可能であるように、前記凹部の外側において所定の位置に形成され、かつ、前記支持部材が収容される金属シートケース上の所定の位置に前記支持部材を位置決めするものであり、前記フレームは、前記支持部材の背面側において前記支持部材のベース領域から突出しており、かつ、前記モニターの構成部品をサンドイッチ式に収容するものであり、前記フレーム内に収容された前記モニターの前記構成部品は前記支持部材に対して固定可能であり、前記支持部材は前記金属シートケース上において前記位置決め及び／又は保持部材に対して固定可能である器具により達成される。
前記モニターの前記構成部品の少なくとも一つは、前記フレーム内に収容された前記モニターの前記構成部品を完全に前記背面側上に支持することができる剛性を有しており、かつ、その周囲に少なくとも一つの固定セクションを備えており、前記固定セクションは前記モニターの前記構成部品の前記少なくとも一つを前記支持部材上に固定するものであることが好ましい。
【０００８】
前記モニターの前記構成部品の前記少なくとも一つは、少なくとも一つの電気部品と、前記モニターの前記構成部品とを、及び／または、前記電子組立体とを電気的に結合するものであることが好ましい。
当該器具は、少なくとも一つの結合部材をさらに備えており、前記結合部材は、前記金属シートケース上において前記支持部材を前記フレーム内に収容された前記モニターの前記構成部品に固定させるものであることが好ましい。
前記少なくとも一つの結合部材は電気部品を前記モニターの前記構成部品に固定させるものであることが好ましい。
前記少なくとも一つの結合部材は金属製であり、かつ、ネジで固定可能であることが好ましい。
【０００９】
前記モニターの前記構成部品の前記少なくとも一つはプラスチック製の前記支持部材にネジ止め可能であることが好ましい。
従って、前記モニターの前記構成部品は、液晶ディスプレイやＴＦＴディスプレイなどの画像出力装置として有効に使用可能であり、さらに、当該画像出力装置に一体的に形成されている結合手段を介してプラスチック製の前記支持部材にネジ止め可能であるように構成することもできる。
前記少なくとも一つの結合部材は前記金属シートケースの前記位置決め及び／又は保持部材の少なくとも一部に対してネジ止め可能であり、前記位置決め及び／又は保持部材は金属製であることが好ましい。
前記支持部材は、少なくとも一つの第一保持部材及び／又は少なくとも一つの第二保持部材を備えており、前記第一保持部材は、前記支持部材の背面側から突出しており、かつ、前記支持部材の周辺に沿って位置しており、前記第一保持部材は、少なくとも一つの取り付け部分、ケースの背面壁及び／又は前記支持部材を前記金属シートケースにネジで固定するものであり、前記第二保持部材は前記フレームの周辺に沿って位置し、前記モニターの前記構成部品の前記少なくとも一つをネジで固定するものであることが好ましい。
【００１０】
前記支持部材の前記凹部は、前記金属シートケースの凹部が当該凹部を内部に収容しつつ、前記金属シートケースの前端において、前記支持部材の所定の部分が可視性となるように、前記金属シートケースの前記凹部よりも周囲が小さいことが好ましい。
前記モニターの前記構成部品は、少なくとも一つのタッチ感応式であり、透明かつ平坦な構成要素と、画像出力要素とを備えており、前記平坦な構成要素はシール効果を発揮し、かつ、耐性を向上させるものであり、これらの要素は前記支持部材の前記フレームにおいて重ねられ、タッチ感応式スクリーンを形成していることが好ましい。
前記支持部材とシール部材と前記モニターの前記構成部品は予め組み立てられ、機能的に連結可能な組立体として、前記金属シートケースの内部に搭載され、前記金属シートケースと連結され、前記シール部材は、前記支持部材と前記モニターの前記構成部品の一つとの間に挟まれているものであることが好ましい。
【００１１】
当該器具は、サブフレームをさらに備えており、前記サブフレームは、前記支持部材の前記フレームの内部に挿入され、かつ、前記フレーム及び／又は前記支持部材の前記凹部のサイズを減少させるものであることが好ましい。
上述の器具を透析装置の構成要素として使用することは特に有効であり、その場合、前記金属シートケースは当該透析装置のケース又は本体であることが好ましい。
以下、図面を参照して、好適な実施形態により本発明を詳細に説明する。
【図面の簡単な説明】
【００１２】
【図１】モニターを金属シートケースに結合させる器具の実施形態の分解斜視図である。
【図２】図１に示す金属シートケースに搭載する状態における当該器具の部分的斜視図である。
【発明を実施するための形態】
【００１３】
以下の図面の説明においては、同一の、または、類似の動作を行う要素は同一の参照符号で示されており、冗長を避けるため、同じ説明は行わない。
機能、配置、プロセス、動作サイクルについて、次の実施形態が少なくとも以前の実施形態と同一である場合には、相違点のみを説明するものとする。
【００１４】
図１に示すように、例えば、透析装置その他の医療装置のケースまたは本体として構成される金属シートケース１０は窓型の凹部１２を有している。凹部１２は、金属シートケース１０に内蔵される、あるいは、金属シートケース１０に取り付けられるモニターのスクリーンが当該凹部１２を通して見えるようになっている。
金属シートケース１０の背面側、すなわち、医療装置の内側を向いている側には、好ましくは複数の突状体１４が設けられている。突状体１４は、例えば、ピン型である。突状体１４は位置決め及び／又は保持部材として機能し、さらに、金属シートケース１０に搭載される取り付け部品の孔と協働して、当該取り付け部品をハウジングの壁部（すなわち、金属シートケース１０の壁部）に対して所定の位置に位置決めする。
突状体１４を保持部材として構成する場合には、ピン型の突状体１４はネジ部分（雌ネジ（突状体１４が中空のピンである場合）及び／又は雄ネジ）を有していることが好ましい。このネジ部分に対して、取り付け部品が、例えば、ネジ結合により、固定される。
【００１５】
本実施形態においては、上述の取り付け部品は支持部材２０を構成しており、この支持部材２０はプラスチック製のフレームを構成し、さらに、ベース領域を有する一種のベース板を構成している。
支持部材２０は凹部２２を有しており、この凹部２２は金属シートケース１０の凹部１２に対応するとともに、モニターの所定の可視領域にも対応している。
さらに、支持部材２０は、凹部２２の外側において、複数の貫通孔２４を有している。支持部材２０における貫通孔２４の位置及び／又は分布状況は金属シートケース１０上の突状体１４（位置決め及び／又は保持部材として機能するとともに、支持部材２０を収容可能な金属シートケース１０上の所定の位置に支持部材２０を位置決めする）の位置に対応しており、このため、突状体１４が貫通孔２４を通過できるようになっている。
【００１６】
支持部材２０には、支持部材２０の凹部２２を取り囲むようにして、フレーム２１が形成されている。フレーム２１は支持部材２０の背面側において支持部材２０のベース領域から突出しており、フレーム２１には、モニターの構成部品２８及び３０とともにシール部材２７を嵌め込むことができるようになっている。この状態では、スクリーンがサンドイッチ式に挟まれる。
フレーム２１のサイズ（高さ、幅、深さ）は、機能的に相互作用が可能であるようにしつつ、以下のように選択される。すなわち、モニターの構成部品２８及び３０がフレーム２１の内部に挿入可能であり、モニターの構成部品２８及び３０が支持部材２０と電気的に結合可能であり、さらに、モニターの構成部品２８及び３０が静止状態で支持部材２０に保持または固定可能となるように、選択される。
支持部材２０は突状体１４を介して金属シートケース１０に固定することが可能である。
フレーム２１をプラスチック製とすることにより、三次元形状の一部として、総重量を増やすことなく、支持部材２０の捩じり抵抗を有効に増大させることができる。
【００１７】
シール部材２７はモニターの構成部品２８と支持部材２０との間に配置される。
これは、モニターの構成部品２８が支持部材２０により損傷することを防止し、さらに、水分やホコリがモニターの構成部品２８に侵入することを防止するためである。
フレーム２１は突出して形成されていることにより、支持部材２０の剛性を高めるとともに、シール部材２７並びにモニターの構成部品２８及び３０を適切にガイドする機能を奏している。
シール部材２７とモニターの構成部品２８とは、モニターの構成部品３０を介して、所定の位置にクランプ止めされ、固定されている。モニターの構成部品３０は結合部材３１を介して支持部材２０にネジ止めされている。結合部材３１は、他の部材を受け入れ、さらに、固定する部材として構成することも可能である。
【００１８】
本実施形態においては、モニターの構成部品３０は固有の剛性を有しており、サンドイッチ式の挟み込みを完成させる最後の部品として、既にフレーム２１に収容されているシール部材２７とモニターの構成部品２８、具体的には、タッチ感応式の透明かつ平坦なタッチフィルム２８とに接して、シール部材２７及びタッチフィルム２８が支持部材２０の背面上において平坦に配置された状態を維持及び支持するように、配置される。
モニターの構成部品３０の外周には、所定の数の結合部材３１が配置されており、モニターの構成部品３０は結合部材３１を介して支持部材２０に対して結合または保持される。
結合部材３１は、例えば、タブ型及び／又はアングル型に形成することが可能であり、貫通孔を有するものとして構成することができる。この貫通孔を介して、ネジその他の結合部分３１は支持部材２０の突状体２６にガイドされ、かつ、突状体２６に固定されるものとすることができる。突状体２６は円柱形またはピン形状とすることができる。
本実施形態においては、モニターの構成部品３０の各コーナーには結合部材３１が設けられており、結合部材３１は計４個ある。
ただし、モニターの構成部品２８及び３０が問題なく同様の機能で保持・支持されることが保証される限りにおいては、結合部材３１の数及び／又は材質は限定されない。
例えば、モニターの構成部品３０の背面側において２個のコーナーを結ぶ対角線型の構造、または、４個のコーナーを結ぶ十字型もしくは各辺の中点を結ぶ十字型の構造とすることも可能である。
【００１９】
モニターの構成部品３０は機械的及び／又は電気的結合端子または結合部品を含むことが可能であり、これらの結合端子または結合部品により、少なくとも一つの電子組立体と一つのキャリアとが構成され、電気部材４０がモニターの構成部品２８及び３０と電気的に結合することが可能になる。
このように、制御用電子機器、処理用電子機器、電源、インターフェイスなどの選択的に採用される部品を電気部材４０の一部として有効に使用することができ、これらの部品を含む電気部材４０はモニターの構成部品３０の背面に取り付けることができる。
【００２０】
本実施形態は結合部材を構成するホルダ３２を有している。
ホルダ３２は金属製であることが好ましく、アングル形状のプレートとして形成することが好ましい。ホルダ３２は、モニターの構成部品２８及び３０がフレーム２１の内部に収容された状態の支持部材２０を金属シートケース１０に対して固定する。
この目的のため、本実施形態におけるホルダ３２は複数個の孔３４を有している。孔３４は、大きさ及び位置に関して、突状体１４及び支持部材２０の貫通孔２４に対応している。このため、最初に、突状体１４を貫通孔２４に通すことにより、支持部材２０（部分的に、あるいは、完全に組み立てて、モニター組立体を形成しておくことも可能である）を金属シートケース１０に緩やかに結合させ、次いで、突状体１４を孔３４に通すことにより、ホルダ３２を緩やかに支持部材２０に結合させ、最後に、突状体１４をホルダ３２に対してネジ止めする。これにより、支持部材２０の下方に、ネジで結合された金属シートケース１０が位置する。
換言すれば、少なくとも一つの結合部材としてのホルダ３２は、金属シートケース１０の位置決め及び／又は保持部材として、金属製の突状体１４の少なくとも一部にネジ止めすることが可能である。
フレーム２１内のホルダ３２は、同じネジを使うことにより、電気部材４０に連結し、さらに、電気部材４０を保持するようにすることができる。
あるいは、電気部材４０は金属シートケース１０上に搭載し、金属シートケース１０に結合させることも可能である。
【００２１】
ケースの背面壁などの取り付け部位には、さらに、結合用及び／又は保持用の部材を設けることもできる。
例えば、支持部材２０は少なくとも一つの第一保持手段２５を備えることができる。この第一保持手段２５は支持部材２０の背面側においてベース板またはベース領域から突出している。第一保持手段２５は支持部材２０の周囲に沿って配置されており、例えば、支持部材２０の各コーナーに設けられている。さらに、取り付け部品を第一保持手段２５に取り付けたり、あるいは、支持部材２０が金属シートケース１０に結合可能であるように構成することも可能である。
本実施形態においては、支持部材２０の凹部２２は金属シートケース１０の凹部１２よりも小さい外形を有しており、このため、金属シートケース１０の前側においては、すなわち、金属シートケース１０の前に立っているユーザーにとっては、支持部材２０の所定の部分が金属シートケース１０の凹部１２を介して見えるようになっている。
【００２２】
モニターの構成部品２８及び３０は、少なくとも一つのタッチ感応式の要素２８と画像表示要素３０（液晶ディスプレイやＴＦＴなど）とを有している。タッチ感応式の要素２８は透明かつ平坦であり、例えば、タッチ式フィルムである。画像表示要素３０は、支持部材２０のフレーム２１内に収容され、タッチ感応式スクリーン２８、３０を形成している。
この目的のために、予め作られたスクリーン又はディスプレイモジュールを用いることも可能である。
支持部材２０、シール部材２７並びにモニターの構成部品２８及び３０は、システム、装置及び／又はモデルを問わない一般用部品として予め組み立てておくことが好ましく、さらに、機能的に結合可能な組立体として、例えば、透析装置のハウジングや本体に結合可能な組立体として、金属シートケース１０の内部に挿入され、金属シートケース１０と結合される。
前述のように、プラスチック製の内側ケースを用いたサンドイッチ式のモニター配置は金属シートからなる本体を有する医療装置に適しており、さらに、既存の金属シートケースに対してモニターを直接配置することを可能にするという利点をもたらすものである。
各構成部品を機能的に配置することにより、さらにモニターの配置を効果的にすることができる。
さらに、標準化することにより、構成部品を共有することも可能になる。
【００２３】
上記の実施形態の変形例においては、縮小型サブフレーム（挿入フレーム、挿入又は縮小型アダプタ）（図示せず）を用いて、フレーム２１及び／又は凹部２２の元々のサイズを特注の、または、市販のモニターの構成部品のサイズにまで縮小させることができる。
そのようなサブフレームはフレーム２１の内部に挿入され、支持点または支持面において、フレーム２１の内部に支持され、スナップ止めされ、あるいは、係合する。さらに、サブフレーム２１の前端及び／又は後端にはフィット用裏張りを設けることも可能である。さらに、支持部材２０に当初からある結合手段がなおも使用可能であるように、サブフレーム２１を構成することもできる。
この目的のために、サブフレームは支持部材２０の前側から凹部２２に挿入するようにすることができる。この場合、サブフレームのカバーは金属シートケース１０の表面まで延びており、金属シートケース１０の凹部１２を介して見える支持部材２０のフレーム部分をも覆う。さらに、サブフレームの係合部材は支持部材２０のフレーム２１の背後に係合し、サブフレームをフレーム２１の内部にラッチする。
このように、支持部材２０、モニターの構成部品３０及びホルダ３２が構造上の基礎となって、モニターの構成部品や特注品のサイズにも依るが、異なるサイズを有するモニターの構成部品、例えば、対角線のサイズが小さいスクリーンや縦横比が異なるスクリーンなども取り付けることが可能である。
このように、一つのシリーズのモデルにおいて、基本モデルは使用可能範囲の小さいモニターを備える安価なモデルとして構成することができるとともに、この安価な基本モデルは、需要が増大したときには、後に拡張することが可能であり、さらに、スペア部品を供給できる範囲において、適切なモニターの構成部品を提供することが可能になる。
【００２４】
本発明は本明細書に記述された実施形態及びその変形例に限定されるものではなく、以下の特許請求の範囲により示される保護範囲において、上記の実施形態、変形例及び均等物の少なくとも一部の組み合わせなど当業者が想到し得るものは全て本発明の範囲に含まれる。
【符号の説明】
【００２５】
１０  金属シートケース
１２  凹部
１４  突状体
２０  支持部材
２１  フレーム
２２  凹部
２４  貫通孔
２５  第一保持手段
２６  突状体
２７  シール部材
２８、３０  モニター構成部品
３１  結合部材
３２  ホルダ
【図１】
2018008027.tif 000003
【図２】
2018008027.tif 000004
【外国語明細書】
2018008027000001.pdf